(57)【要約】【課題】外気温度によって目標とする過冷却度を設定し、その設定した過冷却度にて運転することで、システム効率を向上させた温水暖房装置を提供すること。【解決手段】圧縮機１、冷媒対水用熱交換器１７、過冷却熱交換器５、主減圧手段４、蒸発器３が環状に接続された主冷媒回路と、前記冷媒対水用熱交換器１７と前記主減圧手段４の間で前記主冷媒回路から分岐し、前記過冷却熱交換器５を経由して、前記蒸発器３と前記圧縮機１との間の前記主冷媒回路に接続したバイパス回路２９と、外気温度検知手段１３とを備え、外気温度に基づいて、運転時の前記冷媒対水用熱交換器１７出口の冷媒の過冷却度の目標値を変更することを特徴とする温水暖房装置。【選択図】図１
2013127332.tif 000002
【特許請求の範囲】
【請求項１】
圧縮機、冷媒対水用熱交換器、過冷却熱交換器、主減圧手段、蒸発器が環状に接続された主冷媒回路と、前記冷媒対水用熱交換器と前記主減圧手段の間で前記主冷媒回路から分岐し、前記過冷却熱交換器を経由して、前記蒸発器と前記圧縮機との間の前記主冷媒回路に接続したバイパス回路と、前記バイパス回路の前記過冷却熱交換器の上流側に設けたバイパス減圧手段と、外気温度検知手段と、制御手段とを備え、前記制御手段は、前記外気温度検知手段により検出された外気温度に基づいて、運転時の前記冷媒対水用熱交換器出口の冷媒の過冷却度の目標値を変更することを特徴とする温水暖房装置。
【請求項２】
前記冷媒対水用熱交換器の入水温度を検出する水温度検知手段を備え、前記水温度検知手段により検出された入水温度に基づいて、運転時の前記冷媒対水用熱交換器出口の冷媒の過冷却度の目標値を変更することを特徴とする請求項１に記載の温水暖房装置。
【請求項３】
運転時の前記冷媒対水用熱交換器出口の冷媒の過冷却度が前記目標値となるように、前記主減圧手段および前記バイパス減圧手段の開度を変更することを特徴とする請求項１または２に記載の温水暖房装置。
【発明の詳細な説明】
【技術分野】
【０００１】
本発明は、ヒートポンプにより温水を生成する温水暖房装置に関するものである。
【背景技術】
【０００２】
現在、温水暖房装置としてはガスや電気ヒータを用いて水を加熱する方式のものが大勢的であるが、近年のエネルギー利用効率化の要望の観点からヒートポンプを利用した温水暖房装置も徐々に一般世帯に普及していっている。
【０００３】
図７に従来の温水暖房装置の構成図を示す。
【０００４】
図７に示すように、温水暖房装置は、圧縮機１、四方弁２、冷媒対空気用熱交換器３、主減圧手段４、過冷却熱交換器５、前記主減圧手段４の手前から分岐して前記過冷却熱交換器５に接続する経路の途中に設置しているバイパス減圧手段６、余剰冷媒を保持するアキュームレータ７、圧縮機の吐出部から前記四方弁に接続している経路の途中に設置している高圧検知手段８及び吐出温度検知手段９、前記冷媒対空気用熱交換器３を構成する配管に設置している蒸発温度検知手段１０、周囲の外気温度を検知する外気温度検知手段１３、各検知手段の測定値に従い前記圧縮機１や複数の減圧手段を制御する室外機制御手段１４により構成される室外機１５を備えている。
【０００５】
また、前記室外機１５の冷媒配管経路１６と接続している冷媒対水用熱交換器１７、前記冷媒対水用熱交換器１７の出口に設置している冷媒出口温度検知手段１８、前記冷媒対水熱交換器１６の水配管経路１９と接続し水を循環させる循環ポンプ２０、前記冷媒対水用熱交換器１７に流入する水温を検知する水温検知手段２１、各検知手段及び前記室外機制御手段１４と接続し全体の制御を行う室内機制御手段２２により構成される室内機２３を備えている。
【０００６】
ヒートポンプを利用した温水暖房装置にて加熱運転を行う場合、圧縮機１で高温・高圧に加熱された冷媒は四方弁２から冷媒配管経路１６を通じて冷媒対水用熱交換器１７で水と熱交換される。
【０００７】
この結果、水は加熱されて湯になり、同時に冷媒温度は低下する。加熱された湯は貯湯タンクや床暖房パネル等（図示せず）に送られ、給湯や暖房に利用される。
【０００８】
温度の下がった冷媒は、主減圧手段５を通じることにより低温・低圧の二相流に変化し、冷媒配管経路１６を通じて室外機１５内にある冷媒対空気用熱交換器３へ送られる。
【０００９】
前記冷媒対空気用熱交換器３では強制的に大気から熱を奪うことにより内部の冷媒は蒸発し、気化する。気化した冷媒は四方弁２からアキュームレータ７を通じ再び圧縮機１に吸い込まれ、高温・高圧に加熱されることにより再び水を加熱していく。
【００１０】
ここで圧縮機１の信頼性を確保しながら高い加熱能力を確保するため、冷媒を凝縮させる冷媒対水用熱交換器１７と高圧冷媒を減圧させる主減圧手段４の間に過冷却熱交換器５とバイパス減圧手段６を設け、バイパス減圧手段６の絞り量を調節することにより過冷却熱交換器５による熱交換量を制御するような冷凍サイクルが記載されている（例えば、特許文献１参照）。
【先行技術文献】
【特許文献】
【００１１】
【特許文献１】特開平１０−６８５５３号公報
【発明の概要】
【発明が解決しようとする課題】
【００１２】
しかしながら、室外機と室内機を接続する接続配管は設置場所により異なり、配管長が長くなった場合には、冷凍サイクル内を流れる冷媒循環量が減少したりするため、冷凍サイクルを効率よく運転することが困難である。
【００１３】
また、外気温度によって最適な冷凍サイクルは変化するものであり、より効率よく運転するためにはそれぞれ最適な制御値によって運転を行う必要がある。
【００１４】
本発明は、前記従来の課題を解決するもので、外気温度によって目標とする過冷却度を設定し、その設定した過冷却度にて運転することで、システム効率を向上させた温水暖房装置を提供することを目的とする。
【課題を解決するための手段】
【００１５】
前記従来の課題を解決するために、本発明の温水暖房装置は、圧縮機、冷媒対水用熱交換器、過冷却熱交換器、主減圧手段、蒸発器が環状に接続された主冷媒回路と、前記冷媒対水用熱交換器と前記主減圧手段の間で前記主冷媒回路から分岐し、前記過冷却熱交換器を経由して、前記蒸発器と前記圧縮機との間の前記主冷媒回路に接続したバイパス回路と、前記バイパス回路の前記過冷却熱交換器の上流側に設けたバイパス減圧手段と、外気温度検知手段と、制御手段とを備え、前記制御手段は、前記外気温度検知手段により検出された外気温度に基づいて、運転時の前記冷媒対水用熱交換器出口の冷媒の過冷却度の目標値を変更することを特徴とするものである。
【００１６】
これにより、冷媒対水用熱交換器の冷媒配管出口に設置している冷媒出口温度検知手段と、高圧検知手段から算出される平均凝縮温度から過冷却度を計算し、外気温度検知手段によって検知した外気温度に応じて、前記過冷却度を各外気温度別に設定した最適値に制御するようにしたもので、外気温度ごとに必要な加熱能力を確保すると同時に冷凍システムの効率を向上させることができる。
【発明の効果】
【００１７】
本発明によれば、外気温度によって目標とする過冷却度を設定し、その設定した過冷却度にて運転することで、システム効率を向上させた温水暖房装置を提供できる。
【図面の簡単な説明】
【００１８】
【図１】本発明の実施の形態１における温水暖房装置の構成図
【図２】同温水暖房装置の運転制御のフローチャート
【図３】同温水暖房装置の冷媒回路のモリエル線図
【図４】本発明の実施の形態２における温水暖房装置の運転制御のフローチャート
【図５】同他の温水暖房装置の運転制御のフローチャート
【図６】同温水暖房装置の冷媒回路のモリエル線図
【図７】従来の温水暖房装置の構成図
【発明を実施するための形態】
【００１９】
第１の発明は、圧縮機、冷媒対水用熱交換器、過冷却熱交換器、主減圧手段、蒸発器が環状に接続された主冷媒回路と、前記冷媒対水用熱交換器と前記主減圧手段の間で前記主冷媒回路から分岐し、前記過冷却熱交換器を経由して、前記蒸発器と前記圧縮機との間の前記主冷媒回路に接続したバイパス回路と、前記バイパス回路の前記過冷却熱交換器の上
流側に設けたバイパス減圧手段と、外気温度検知手段と、制御手段とを備え、前記制御手段は、前記外気温度検知手段により検出された外気温度に基づいて、運転時の前記冷媒対水用熱交換器出口の冷媒の過冷却度の目標値を変更することを特徴とする温水暖房装置である。
【００２０】
これにより、冷媒対水用熱交換器の冷媒配管出口に設置している冷媒出口温度検知手段と、高圧検知手段から算出される平均凝縮温度から過冷却度を計算し、外気温度検知手段によって検知した外気温度に応じて、前記過冷却度を各外気温度別に設定した最適値に制御するようにしたもので、外気温度ごとに必要な加熱能力を確保すると同時に冷凍システムの効率を向上させることができる。
【００２１】
第２の発明は、特に、第１の発明において、前記冷媒対水用熱交換器の入水温度を検出する水温度検知手段を備え、前記水温度検知手段により検出された入水温度に基づいて、運転時の前記冷媒対水用熱交換器出口の冷媒の過冷却度の目標値を変更することを特徴とするもので、外気温度及び水温ごとに加熱能力を最適化することができ、冷凍サイクルの効率を向上させることができる。
【００２２】
第３の発明は、特に、第１の発明または第２の発明において、運転時の前記冷媒対水用熱交換器出口の冷媒の過冷却度が前記目標値となるように、前記主減圧手段および前記バイパス減圧手段の開度を変更することを特徴とするもので、外気温度ごとに必要な加熱能力を確保すると同時に冷凍システムの効率を向上させることができる。
【００２３】
以下、本発明の実施の形態について、図面を参照しながら説明する。なお、本実施の形態によって本発明が限定されるものではない。
【００２４】
（実施の形態１）
図１は本発明の実施の形態１における温水暖房装置の構成図、図２は本発明の実施の形態１における温水暖房装置制御時のフローチャート、図３は本発明の実施の形態１におけるモリエル線図である。
【００２５】
温水暖房装置の冷媒回路１５は、圧縮機１、四方弁２、放熱器である冷媒対水用熱交換器１７、主減圧手段４、蒸発器である冷媒対空気用熱交換器３、余剰冷媒を保持するアキュームレータ７を順に接続して、前記冷媒対水用熱交換器１７と前記主減圧手段４との間に過冷却熱交換器５を配設し、主冷媒回路を形成している。
【００２６】
そして、前記過冷却熱交換器５と前記主減圧手段の間から分岐して、再度前記過冷却熱交換器５と熱交換し、バイパス減圧手段６を介してバイパス回路２９を、前記圧縮機１の吸入側、すなわち前記アキュームレータ７の吸入側に接続している。
【００２７】
さらに、圧縮機１の吐出側に高圧検知手段８及び吐出温度検知手段９、前記蒸発器である冷媒対空気用熱交換器３の冷媒流入側に蒸発温度検知手段１０、前記蒸発器である冷媒対空気用熱交換器３の冷媒流出側に蒸発器出口温度検知手段１１、前記バイパス回路２９の前記過冷却熱交換器５の出口側にバイパス回路出口温度検知手段１２、前記冷媒対水用熱交換器１７の出口側に冷媒出口温度検知手段１８、外気温度を検知する外気温度検知手段１３を配設している。
【００２８】
また、温水暖房装置の温水回路２３は、前記冷媒対水用熱交換器１７の水配管経路１９と接続し水を循環させる循環ポンプ２０、前記冷媒対水用熱交換器１７に流入する水温を検知する水温検知手段２１を有している。温水回路２３の水配管経路１９は貯湯タンクや床暖房パネル等（図示せず）に接続されている。また、冷媒回路制御手段１４と温水回路
制御手段２２とを備えている。
【００２９】
上記の温水暖房装置では、所定の沸き上げ温度等の情報がリモコン２４を通じて温水回路制御手段２２に伝えられると、前記温水回路制御手段２２から冷媒回路制御手段１４に情報が送られ、圧縮機１の運転周波数や主減圧手段４の絞り量が調整される。
【００３０】
圧縮機１より吐出された高温・高圧の過熱ガス冷媒は、冷媒対水用熱交換器１７に流入し、貯湯タンクや床暖房パネル等（図示せず）を通じて、前記循環ポンプ２０から送られてきた水を加熱する。
【００３１】
水と熱交換された冷媒は温度が低下し液化する。液化した冷媒は主減圧手段４に送られ圧力が低下した後、冷媒対空気用熱交換器３にて空気と熱交換を行い、蒸発する際に空気から吸熱する。
【００３２】
蒸発し気化した冷媒は、アキュームレータ７を通じ再び圧縮機１に戻り、この動作を繰り返すことにより温水を生成する。ここで外気温検知手段１２が一定の値（例えば１０℃）を下回った状態を検知し、かつ、水温検知手段２１が一定の値（例えば２５℃）を上回った状態を一定時間（例えば５分間）検知した場合、過冷却熱交換器５にて冷媒の熱交換を行うバイパス制御運転を開始する。
【００３３】
バイパス制御運転が開始されると、主減圧手段４とバイパス減圧手段６に対し各外気温及び入水温に対応する初期開度が与えられ、冷媒循環量が調整される。
【００３４】
この状態で運転が継続されると、蒸発温度検知手段１０による実測値から計算される平均蒸発温度（以下Ｔｅｍとする）と蒸発器出口温度検知手段１１の温度差である主冷媒回路の過熱度は０付近に近づき、Ｔｅｍとバイパス回路出口に設置しているバイパス回路出口温度検知手段１２の温度差であるバイパス回路２９の過熱度は０を大きく上回る温度に近づいていく。
【００３５】
高効率な運転を行うためには、主冷媒回路の過熱度及びバイパス回路の過熱度は共に０付近に制御する必要があるため、主減圧手段４の開度を閉側に調節し主冷媒回路に流れる冷媒量を少なくすることにより、バイパス回路２９に流れる冷媒量を増やし、バイパス回路２９の過熱度を０に近づけようとする。
【００３６】
主冷媒回路過熱度及びバイパス回路過熱度が共に０付近で安定すると、圧縮機１から吐出される冷媒温度を適正値にするための制御動作を行う。目標吐出冷媒温度（以下Ｔｄｍとする）は、前記Ｔｅｍと、高圧検知手段８によって検出された実測値とから計算される平均凝縮温度（以下Ｔｃｍとする）の関数として表され、外気温及び入水温が変化するとそれに伴いＴｅｍ、Ｔｃｍが変化し、Ｔｄｍも変化する。
【００３７】
吐出温度検知手段９による検知温度（以下Ｔｄとする）がＴｄｍより低い場合は、主減圧手段４の開度を固定した状態で、バイパス減圧手段６の開度を閉側に調節することで全体の冷媒循環量を調整しＴｄをＴｄｍに近づけようとする。
【００３８】
ＴｄがＴｄｍより高い場合は、主減圧手段４の開度を固定した状態でバイパス減圧手段６の開度を開側に調整することで、全体の冷媒循環量を調整し、ＴｄをＴｄｍに近づけようとする。
【００３９】
ＴｄとＴｄｍが一定値（例えば±１Ｋ）の中で安定すると、次に、前記Ｔｃｍと、前記冷媒出口温度検知手段１８により測定された測定値とにより計算される過冷却度を、目標
値に調整しようとする。
【００４０】
計算される過冷却度が目標値より小さい場合には、主減圧手段４の開度を開側に調整しながらバイパス減圧手段６の開度を閉側に調整することで、Ｔｄを一定値に保ちながら、過冷却度が高くなるように制御を行う。
【００４１】
計算される過冷却度が目標値より大きい場合には、主減圧手段４の開度を閉側に調整しながらバイパス減圧手段６の開度を開側に調整することで、Ｔｄを一定値に保ちながら過冷却度が低くなるように制御を行う。
【００４２】
負荷変動等が生じ、主冷媒回路過熱度またはバイパス回路過熱度が一定値（例えば２Ｋ）を上回るような状態に変移した場合には再び両者の過熱度を０に調整するところから制御を行う。
【００４３】
ここで、外気温度が低くなると冷凍サイクルが、高外気温時サイクル２５から低外気温時サイクル２６へと変化する。低外気温時にも高外気温時と同等の加熱能力を得ようとすると、蒸発圧力が低下する分圧縮比が増大し凝縮圧力が上昇するため、過冷却度の最適値がａからｂへと大きくなる傾向にある。
【００４４】
このため、外気温度に閾値（例えば０℃）を設け、現在の外気温度≧０℃のときは、過冷却度の目標値４〜７Ｋ、現在の外気温度＜０℃のときは、過冷却度の目標値６〜９Ｋとそれぞれ別に設定できるようにすることで、適正な制御を行うようにする。なお、外気温度が高いときより低いときの方がより、過冷却度が大きくなるように目標値が設定してある。
【００４５】
上述のような制御を行うことにより、高能力かつ高効率なヒートポンプ運転を行うことができる。
【００４６】
なお、高圧検知手段８を省略し、平均凝縮温度（Ｔｃｍ）の算出に冷媒対水用熱交換器１７の表面に凝縮温度検知手段を配設し、この測定温度を用いてもよい。また、平均蒸発温度（Ｔｅｍ）の算出に、低圧検知手段を設け、この測定圧力から蒸発温度を推定してもよい。
【００４７】
なお、本実施の形態に示した各種材料や数値などは、必ずしもこれに限定されるものではなく、所定の役割を果たすことができるならば別の材料や数値で何ら問題はない。
【００４８】
（実施の形態２）
図４及び図５は、本発明の実施の形態２における温水暖房装置制御時のフローチャート、図６は本発明の実施の形態２におけるモリエル線図である。構成に及び基本的な動作に関しては実施の形態１と同一である。
【００４９】
ここで、入水温度が高くなると、冷凍サイクルが低入水温時サイクル２７から高入水温時サイクル２８へと変化する。高入水温時にも低入水温時と同等の加熱能力を得ようとすると、凝縮圧力が大幅に上昇するため、過冷却度の最適値がｃからｄへと大きくなる傾向にある。
【００５０】
このため、外気温度による閾値（例えば０℃）に追加し、入水温度による閾値（例えば５０℃）を設け、現在の外気温度≧０℃で現在の入水温＜５０℃のときは過冷却度の目標値４〜７Ｋ、現在の外気温度≧０℃で現在の入水温≧５０℃のときは過冷却度の目標値５〜８Ｋ、現在の外気温度＜０℃で現在の入水温＜５０℃のときは過冷却度の目標値６〜９
Ｋ、現在の外気温度＜０℃で現在の入水温≧５０℃のときは過冷却度の目標値７〜１０Ｋとそれぞれ別に設定できるようにすることで、適正な制御を行うようにする。
【００５１】
なお、入水温が低いときより高いときの方がより、過冷却度が大きくなるように目標値が設定してある。
【００５２】
上述のような制御を行うことにより、高能力かつ高効率なヒートポンプ運転を行うことができる。
【００５３】
なお、本実施の形態に示した各種材料や数値などは必ずしもこれに限定されるものではなく、所定の役割を果たすことができるならば別の材料や数値で何ら問題はない。
【産業上の利用可能性】
【００５４】
以上のように、本発明にかかる温水暖房装置は、冷凍サイクルを最適な状態に保つことが可能となるため、家庭用、業務用等に適用できる。
【符号の説明】
【００５５】
１  圧縮機
３  冷媒対空気用熱交換器（蒸発器）
４  主減圧手段
５  過冷却熱交換器
６  バイパス減圧手段
８  高圧検知手段
１０  蒸発温度検知手段
１３  外気温度検知手段
１４  冷媒回路制御手段
１５  冷媒回路
１６  冷媒配管経路
１７  冷媒対水用熱交換器（放熱器）
１８  冷媒出口温度検知手段
１９  水配管経路
２０  循環ポンプ
２１  水温検知手段
２２  温水回路制御手段
２３  温水回路
２９  バイパス回路
【図１】
2013127332.tif 000003
【図２】
2013127332.tif 000004
【図３】
2013127332.tif 000005
【図４】
2013127332.tif 000006
【図５】
2013127332.tif 000007
【図６】
2013127332.tif 000008
【図７】
2013127332.tif 000009